(57)【要約】  バット、バー、スティック、ラケットまたはクラブなどの加重器具は、明らかに重い端を作り出すために器具の一端に追加重量を有しており、つまりアンバランス器具。アンバランス器具は使用者に、器具の軽い端の保持することによって強靱さを鍛える重い負荷と、器具の重い端の保持することによってスピードと持久力と柔軟さを鍛える軽い負荷を作り出す能力を与える。重い端を保持してスイングされたとき、そのようなアンバランス器具は、使用者の強靱さと全面的なコンディショニングレベルを改善し、手のスピードを鍛え、適切なスイングを促進するために、さまざまなスポーツ練習レジメ、ある種のゲームプレー、一般的なエクササイズ、肉体的リハビリテーション、そのほかに独特に有効である。
2014510578.tif 000002
【特許請求の範囲】
【請求項１】
バレルと、ハンドルと、前記バレルを前記ハンドルに接続しているテーパー部分を有しているバット本体と、
前記ハンドルの端に永久的に固定された加重ノブを備えており、
前記バットの総重量の少なくとも５０パーセントが、前記加重ノブと前記ハンドルを有している前記バットの半分に配置されている、加重バット。
【請求項２】
前記加重ノブが、ステンレススチールで作られた固体ノブである、請求項１に記載の加重バット。
【請求項３】
前記ハンドル内に永久的に固定された加重ロッドをさらに備えている、請求項１に記載の加重バット。
【請求項４】
前記加重ロッドが、鉛で作られた固体ロッドである、請求項３に記載の加重バット。
【請求項５】
前記バットの総重量の少なくとも５５パーセントが、前記加重ノブと前記ハンドルを有している前記バットの半分に配置されている、請求項３に記載の加重バット。
【請求項６】
前記バットの総重量の少なくとも５７パーセントが、前記加重ノブと前記ハンドルを有している前記バットの半分に配置されている、請求項３に記載の加重バット。
【請求項７】
前記バレルが木で作られており、前記ハンドルが金属で作られている、請求項１に記載の加重バット。
【請求項８】
第一の端と、第二の端と、前記第一の端を前記第二の端に接続している中央部分を有しているシャフトと、
前記シャフトの前記第一の端に永久的に固定された加重ノブと、
前記シャフトの前記第二の端に永久的に固定された非加重ノブを備えており、
前記バーの総重量の少なくとも６０パーセントが、前記加重ノブと前記シャフトの前記第一の端を有している前記バーの半分に配置されている、加重バー。
【請求項９】
前記加重ノブが、ステンレススチールで作られた固体ノブである、請求項８に記載の加重バー。
【請求項１０】
前記シャフトの前記第一の端内に永久的に固定された加重ロッドをさらに備えている、請求項８に記載の加重バー。
【請求項１１】
前記加重ロッドが、鉛で作られた固体ロッドである、請求項１０に記載の加重バー。
【請求項１２】
前記バーの総重量の少なくとも６４パーセントが、前記加重ノブと前記シャフトの前記第一の端を有している前記バットの半分に配置されている、請求項１０に記載の加重バット。
【請求項１３】
前記シャフトの前記第一の端を覆っている第一のグリップと、
前記シャフトの前記第二の端を覆っている第二のグリップをさらに備えており、
前記第一のグリップが前記第二のグリップよりも長い、請求項８に記載の加重バー。
【請求項１４】
第一の端と、第二の端と、前記第一の端を前記第二の端に接続している中央部分を有するシャフトと、
前記シャフトの前記第一の端に永久的に固定された加重ハンドルと、
前記シャフトの前記第二の端に永久的に固定された非加重ハンドルを備えており、
前記バーの総重量の少なくとも６０パーセントが、前記加重ハンドルと前記シャフトの前記第一の端を有している前記バーの半分に配置されている、加重バー。
【請求項１５】
前記シャフトの前記第一の端を覆っている第一のグリップと、
前記シャフトの前記第二の端を覆っている第二のグリップを備えており、
前記第一のグリップが前記第二のグリップよりも長い、請求項１４に記載の加重バー。
【請求項１６】
前記第一のグリップが前記第一のハンドルを覆っており、前記第二のグリップが前記第二のハンドルを覆っている、請求項１５に記載の加重バー。
【請求項１７】
前記シャフトの前記第一の端と前記シャフトの前記第二の端がおのおの第一の直径を有しており、前記加重ハンドルと前記非加重ハンドルがおのおの第二の直径を有しており、前記第二の直径が前記第一の直径よりも大きい、請求項１４に記載の加重バー。
【発明の詳細な説明】
【関連出願】
【０００１】
この出願は、米国仮出願６１／４６３，６７４号に対する優先権を主張し、それは、２０１１年２月１１日に提出され、それらの全内容は参照によってここに組み込まれる。
【技術分野】
【０００２】
本発明は、自然で適切なスイングメカニクスを維持しながら、使用者の強靱さとコンディショニングを改善するように計算された量および位置に追加された重量を有している、スポーツトレーニング器具などの器具に関する。
【背景技術】
【０００３】
ここに提供される「背景」説明は、開示のコンテクストを一般的に示す目的のためにある。いま命名された発明者の作品は、この背景項において説明される程度にまで、出願時における従来技術とそうでなければ見なし得ない説明の側面と共に、本発明に対する先行技術として明白にも暗示的にも認められない。
【０００４】
従来のスポーツ用品に重量を再配置したり、そのような用品に追加重量を追加したりするさまざまな試みがなされた。しかしながら、以下に説明されるさまざまな発明実施形態の前には、過加重（インパクト軸を超える加重）は望ましくないと信じられていた。
【０００５】
さらに、手（すなわち使用者によって用品が保持されるように意図された所）の下方に追加された取り外し可能な重量を使用する試みがなされた。取り外し可能な重量は、用品を「扱いにくいほど重く」（すなわち不所望な振動に弱く）し、また落下する危険がある。加えて、ある取り外し可能な重量構造を受け入れるために用品に対して必要な修正は、用品が壊れた場合には役立たない。さらに、追加重量の量は、重量の外部性質のために制限される。もっと明確にいえば、特に、バット構造体に外部に重量を置くことによって、バットは、より厄介で扱いにくいほど重くなり、また重量は、追加重量が追加されるにつれて、落下しやすくなる。加えて、バットの衝撃に耐える能力は疑問である。
【０００６】
関連技術器具のいずれも、彼または彼女の自然なスイング動作を維持し適切なスイングメカニクスを促進しながら、強靱さとスピードを鍛えるために使用者によってスイングされる適切な位置の十分な重量を利用していない。
【発明の概要】
【０００７】
本発明は、使用者が彼または彼女の自然なスイング動作を維持することを可能にしながら、強靱さとスピードを鍛えるためにスイングされ得る器具を使用者に提供するために開発された。
【０００８】
器具は、明らかに重い端を作り出すために器具の一端に追加重量を有しているバットやバー、スティック、ラケット、クラブなどの加重器具、つまりアンバランス器具である。アンバランス器具は使用者に、器具の軽い端の保持することによって強靱さを鍛える重い負荷と、器具の重い端の保持することによってスピードと持久力と柔軟さを鍛える軽い負荷を作り出す能力を与える。重い端を保持してスイングされたとき、そのようなアンバランス器具は、使用者の強靱さと全面的なコンディショニングレベルを改善し、手のスピードを鍛え、適切なスイングを促進するために、さまざまなスポーツ練習レジメ、ある種のゲームプレー、一般的なエクササイズ、肉体的リハビリテーション、そのほかに独特に有効である。
【０００９】
前記加重器具の一例は加重バットである。前記加重バットは、バレルと、ハンドルと、前記バレルを前記ハンドルに接続しているテーパー部分を有しているバット本体を備えている。前記バットはまた、前記ハンドルの端に永久的に固定された加重ノブを備えている。前記バットの総重量の少なくとも５０パーセントは、前記加重ノブと前記ハンドルを有している前記バットの半分に配置されている。
【００１０】
前記加重器具の別の例は加重バーである。前記加重バーは、第一の端と、第二の端と、前記第一の端を前記第二の端に接続している中央部分を有しているシャフトを備えている。前記バーはまた、前記シャフトの前記第一の端に永久的に固定された加重ノブと、前記シャフトの前記第二の端に永久的に固定された非加重ノブを備えている。前記バーの総重量の少なくとも６０パーセントは、前記加重ノブと前記シャフトの前記第一の端を有している前記バーの半分に配置されている。
【００１１】
別の加重バーはまた、前記第一の端と、前記第二の端と、前記第一の端を前記第二の端に接続している中央部分を有しているシャフトを備えている。前記バーはまた、前記シャフトの前記第一の端に永久的に固定された加重ハンドルと、前記シャフトの前記第二の端に永久的に固定された非加重ハンドルを備えている。前記バーの総重量の少なくとも６０パーセントは、前記加重ハンドルと前記シャフトの前記第一の端を有している前記バーの半分に配置されている。
【００１２】
先の複数の段落は、一般的な紹介の目的提供されており、続く請求項の範囲を限定するようには意図されていない。説明された実施形態は、さらなる利点と共に、添付図面と関連しておこなわれる続く詳細な説明に対する参照によって最も良く理解されるであろう。
【図面の簡単な説明】
【００１３】
開示のより完全な理解およびそれに伴う利点の多くは、添付図面と関連して考慮されたときに、続く詳細な説明に対する参照によってより良く理解されるように、容易に得られるであろう。
【図１】図１は、バットの実施形態の斜視図である。
【図２】図２は、バットの断面図である。
【図３】図３は、バットの代替実施形態の断面図である。
【図４】図４は、野球またはソフトボールのためのバーの実施形態の斜視図である。
【図４ａ】図４ａは、野球またはソフトボールのためのバーの断面図である。
【図５】図５は、ゴルフクラブの実施形態の斜視図である。
【図６】図６は、ゴルフクラブの断面図である。
【図７】図７は、ゴルフのためのバーの代替実施形態の斜視図である。
【図７ａ】図７ａは、ゴルフのためのバーの断面図である。
【図８】図８は、スティックのための加重グリップ部分の断面図である。
【図８ａ】図８ａは、加重グリップ部分を備えたホッケースティックの図である。
【図８ｂ】図８ｂは、加重グリップ部分を備えたラクロススティックの図である。
【図９】図９は、ラケットのための加重グリップ部分の断面図である。
【図９ａ】図９ａは、加重グリップ部分を備えたテニスラケットの図である。
【図９ｂ】図９ｂは、テニスのためのバーの代替実施形態の図である。
【発明を実施するための形態】
【００１４】
いま図面を参照すると、同様の参照数字は、いくつかの図全体にわたって同一または対応する部分を示している。
【００１５】
代表的実施形態は、金属やプラスチック、炭素繊維、他の類似の材料から作られた、バットやラケット、クラブ、スティック、バー、パイプ、そのほかなどの中空部品の装置から成る。代表的実施形態の基本的側面は、明らかに重い端を作り出すために用品の部品の一端に重量を有していること、つまりアンバランス器具を包含している。アンバランス器具は使用者に、器具の軽い端の保持することによって強靱さを鍛える重い負荷と、器具の重い端の保持することによってスピードと持久力と柔軟さを鍛える軽い負荷を作り出す能力を与える。重い端を保持してスイングされたとき、そのようなアンバランス器具は、使用者の強靱さと全面的なコンディショニングレベルを改善し、手のスピードを鍛え、適切なスイングを促進するために、さまざまなスポーツ練習レジメ、ある種のゲームプレー、一般的なエクササイズ、肉体的リハビリテーション、そのほかに独特に有効である。
【００１６】
たとえば、図１は、バットのハンドルと、ハンドルの下方のノブに配置された追加重量を有している、参照文字１００とラベル付けされた、バットの代表的実施形態を示している。バットの反対端は追加重量を有していない。したがって、バットのハンドルの中と下方に配置されている追加重量は、追加抵抗を作り出し、ちょうど彼または彼女が従来のバットでするように、バットをスイングすることによって使用者が、彼らの自然なスイングメカニクスを邪魔または変更することなく、強靱さを鍛えることを可能にする。これとは反対に、使用者の手を重量で過負荷させ、バレルの重量を追加しないことによって、バット１００をスイングすることは、使用者が手を自然に下げて「ボールの内側に」または「スロットの中に」それらを落とすように導き、その結果、使用者は彼らの自然なスイングメカニクスを維持する。
【００１７】
バット１００は、バレル１０２と、ハンドル１０８と、バレル１０２とハンドル１０８の間のテーパーセクション１０６を備えているバット本体１１８を有している。バレル１０２は、テーパーセクション１０６の反対側に配置されたバレル１０２の端にキャップ１０４を有している。グリップとしてしばしば知られるテープまたはスリーブが、使用者がバットを持ちやすくするためにハンドル上に取り付けられることがある。グリップは、皮革、ゴムまたは他の適切な材料で作られることができる。
【００１８】
バレル１０２とキャップ１０４とテーパーセクション１０６とハンドル１０８は、既知の野球またはソフトボールバットと同じ寸法（長さ、バレル幅、ハンドル幅、そのほか）を有していることができる。これらの寸法は、バットが使用されるリーグのプレーを管理する団体によって出される公式ルールによってしばしば規制される。バット１００は、リトルリーグ、高校、大学またはプロリーグのプレーのために容認可能な野球またはソフトボールのバットと同じ寸法を有していることがある。たとえば、リトルリーブが使用するバット１００は、長さが２８インチであり、ハンドル１０８の直径が０．７５０インチ、バレル１０２の直径が２．２５０インチでありうる。さらに、大リーガーが使用するバット１００は、長さが３４インチであり、ハンドル１０８の直径が０．９００インチ、バレル１０２の直径が２．６２５インチでありうる。しかしながら、以下に論じられるように、バット１００に追加される重量は、おそらく、バット１００の総重量を、ほとんどの野球およびソフトボール公式ルールの最大重量制限を超過したものにする。
【００１９】
バレル１０２の端に配置されたキャップ１０４は、バットに慣習的に使用されるプラスチックまたは他の材料で作られることができる。キャップ１０４は、バレル１０２の端に圧入されるか接着されか溶接されることができる、または、既知の方法でバット本体１１８に接続されることができる。
【００２０】
バレル１０２とテーパーセクション１０６とハンドル１０８は中空であり、アルミニウムや他の金属または金属複合材などの金属の単一部品で作られることができる。さらに以下に論じられた代替実施形態では、バット本体１１８は、多数の部分で作られることができる。
【００２１】
加重ノブ１１０は、テーパーセクション１０６の反対側に配置されたハンドル１０８の端に接続されている。加重ノブ１１０は、従来の野球またはソフトボールバットのノブよりも著しく重い。たとえば、加重ノブ１１０は、ハンドル１０８の下方に延びている少なくともノブの部分が完全に充てんされていてその中に空気空洞のない中実鋼鉄で作られることができ、一方、従来のノブは一般に中空である。代替実施形態では、加重ノブ１１０は、以下に論じられる必要な重量をノブ１１０が有する限り、鉛、鋼鉄、または他の重金属または複合材料で作られることができる。または、いる。加重ノブ１１０は、長さが０．５０ないし１．５０インチ、直径が０．５０ないし１．００インチである断面を有しており、中空ハンドル１０８の中に挿入されている。ハンドル１０８に挿入されていないノブの部分は、長さが２．０ないし３．５インチ、直径が１．５ないし２．０インチである。したがって、ノブ１１０が取り付けられたバット１００は、長さが２６．０から３６．０インチまでの範囲にあってよい。
【００２２】
加重ノブ１１０は、好ましくは重量が７．０ないし２０．０オンスであり、より好ましくは重量が１８．０〜２０．０オンスである。従来のノブは、重量が約２．０ないし３．０オンスである。したがって、加重ノブ１１０を備えたバット１００は、同じ長さの従来のバットよりも少なくとも５．０ないし１８．０オンス重い。
【００２３】
ノブ１１０は、バット１００の重量に応じて、異なる色で完全または部分的に色づけられることができる。したがって、使用者は、ただノブ１１０の色からバット１００の重量を容易に識別することができるであろう。
【００２４】
バット１００は、図２に示されるように、ノブ１１０に当接するかほぼ当接する端を有している、ハンドル１０８内に加重ロッド１１２を有していることもできる。バットの希望の総重量が、加重ノブ１１０だけを備えたバットが提供することができる重量よりも大きいとき、加重ロッド１１２がバット１００の中に含められる。たとえば、長さが３６インチであり、加重ノブ１１０を有しているが、ロッド１１２はないバット１００は、重量がほぼ４０．０ないし５０．０オンスである。バット１００に８０オンスの総重量をもたせるため、重量が３０．０ないし４０．０オンスであるロッド１１２がバット１００に追加される。上に特筆されたように、このロッド１１２はハンドル１０８内に配置される。十分に大きいロッド１１２が追加されたならば、ロッドはテーパーセクション１０６の中に延在することがありうる。以下に論じられる重量配分が維持される限り、これは容認可能である。好ましくは、ロッド１１２は、バット１００の中間点を越えて（３６インチバットの１８インチを越えて）延在していない。
【００２５】
加重ロッド１１２は、希望の重量を提供する鋼製、鉛、または他の重金属または複合材料で作られた中実ロッドでありうる。加重ロッド１１２は、好ましくは重量が３．０から６０．０オンスであり、より好ましくは重量が３．０ないし４０．０オンスである。
【００２６】
鉛で作られた加重ロッド１１２の代表的実施形態は、５０オンスバット１００には長さが２インチ、６０オンスバット１００には長さが６インチ、７０オンスバット１００には長さが１０インチ、８０オンスバット１００には長さが１４インチである。したがって、上記の実施形態のほとんどでは、加重ロッド１１２は完全にバットの重量側に配置されている。ロッドのほとんどがバット１００の重量側に配置されているので、バット１００は、以下に論じられる希望の重量特性を維持する。
【００２７】
上に論じられたように、バット１００のハンドル１０８の中および下方に配置されている加重ノブ１１０およびロッド１１２によって追加された重量は、従来の非加重バットを超える追加抵抗を作り出し、バット１００をスイングすることによって使用者が、彼らの自然なスイングメカニクスを邪魔または変更することなく、強靱さを鍛えることを可能にする。野球またはソフトボールのスイングに関して、自然なバットスイングメカニクスは、スイングのあいだ、手を「ボールの内側に」維持することや手を「スロットの中に」落とすことを有している。追加重量は、ロッドを越えてバットの軽い側には追加されていない。したがって、バット１００は、自然なスイングプレーンの外側に手を投げることまたは引くことを防止する。
【００２８】
バット１００の希望の重量配分は、使用者が上に論じられた適切なスイングメカニクスでバット１００をスイングすることを可能にすることを発明者は発見した。明確には、発明者は、重量の少なくとも５０パーセントをハンドルとノブを有しているバットの半分に有していることが好ましいことを発見した。これは、バットが長さで半分に分割された（すなわち、三十六インチバットに関してバットが十八インチに分割された）場合に、バットの総重量の少なくとも半分が、ハンドルとノブを有しているバットの半分にあることを意味する。より好ましくは、バットの重量の少なくとも５５パーセントが、ハンドルとノブを有しているバットの半分にある。さらにより好ましくは、バットの重量の少なくとも５７パーセントが、ハンドルとノブを有しているバットの半分にある。
【００２９】
上に説明された重量配分は、一般にバットの重量の６０〜７０パーセントを、バレルを有しているバットの半分に有している従来の野球用バットとは実質的に異なっている。上に説明された増加され再配分された重量は、バット１００をスイングすることによって使用者が、彼らの自然なスイングメカニクスを邪魔または変更することなく、強靱さを鍛えることを可能にし、スイングのあいだ、手を「ボールの内側に」維持することや手を「スロットの中に」落とすことを含む、適切で自然なバットスイングメカニクスを促進し、自然なスイングプレーンの外側に手を投げるまたは引くことを防止する。
【００３０】
上に説明された限度と配分を超えた重量を追加することは、「バレル加重」器具をもたらし、それは、キャスティングことを引き起こしがちであり、重いバレルの動きをコントロールしようとして、不自然なスイングおよび関連した筋肉を利用することを使用者に強いる。
【００３１】
発明者は、上に説明されたバット１００のいくつかのサンプルを作った。次の表は、これらのサンプルの明細を提供する。
【表１】
2014510578.tif 000003
【００３２】
上記のチャートでは、「ハンドル重量」は、ハンドルとノブを有しているバットの半分の重量を述べている。「バレル重量」は、バレルを有しているバットの他方の半分の重量を述べている。
【００３３】
上記のチャートに見られるように、サンプルのおのおのは、バットの総重量の少なくとも５７パーセントである重量をバットのハンドル半分に有している。適切な年齢と重量と強靱さのレベルの使用者にとっては、これらのバットのおのおのは試験され、使用者が彼らの自然なバットスイングメカニクスを維持することを可能にすることが発見された。
【００３４】
図２に見られるように、加重ノブ１１０の一部は、バット１００の中空ハンドル１０８の内側に押し込まれている。加重ノブ１１０は、ハンドル１０８と加重ノブ１１０の穴を貫通している１本以上のボルト１１４またはピンによってバット１００のハンドル１０８に取り付けられることができる。エポキシ樹脂または他の既知の接着剤が、ハンドル１０８およびノブ１１０内のボルト１１４またはピンを固定するために使用されることもことができる。
【００３５】
同様に、加重ロッド１１２は中空ハンドル１０８の中に押し込まれており、ハンドル１０８および加重ロッド１１２の穴を貫通している一つ以上のピン１１６によってハンドル１０８に取り付けられている。エポキシ樹脂または他の既知の接着剤が、ハンドル１０８およびロッド１１２内のボルト１１６またはピンを固定するために使用されることもできる。
【００３６】
代替実施形態では、一つ以上のピンがバレルとノブとロッドのおのおのを貫通することができるように、加重ロッドの中空部分の中にノブが延在していてもよい。または、一つ以上のピンがバレルとノブとロッドのおのおのを貫通することができるように、加重ノブの中空部分の中にロッドが延在していてもよい。加えて、ノブおよび／またはロッドが、ハンドルにまたは互いに溶接されていてもよい。あるいは、ノブが、ハンドルのねじ付き端にねじ込まれ、エポキシ樹脂で永久的に固定されてもよい。あるいは、ロッドをノブに固定するためにボルトがノブを貫通して延在するように、ノブに穴が空けられ、座ぐりされてもよい。ボルトが、バットに永久的に固定されるように溶接されるか、エポキシ樹脂で取り付けられるかされてもよい。
【００３７】
加重ノブ１１０およびロッド１１２は、バット１００の残りに永久的に固定されている。永久的に固定は、いったんバット１００は製造されたならば、加重ノブ１１０およびロッド１１２は、調整可能でも、バット１００から取り外し可能でもない。さらに、加重ノブ１１０およびロッド１１２の追加重量は、ノブおよびハンドル、およびテーパーセクションの可能な部分内に収納されている。好ましい実施形態では、ノブに取り付けられた追加重量は、追加重量がノブ１１０の下方に延在するようにはない。加重ノブ１１０をハンドル１０８およびハンドル１０８内のロッド１１２に永久的に固定することによって、結果のバット１００は、たとえば打撃練習またはゲームのあいだに、使用者がバットをスイングし、ボールと接触したときに、ガタガタ音を立てたり、緩んだりしない。
【００３８】
代替実施形態では、中実加重ノブ１１０は、追加重量が加重ロッド１１２によって追加されるように、より軽いアルミニウムノブと取り替えられてもよい。これは、多数の追加重量が使用者の手にあることを可能にする。
【００３９】
ハンドル１０８は、１インチの八分の七の幅を有していてもよい。バットの代替実施形態では、ハンドルは、二分の一インチから二分の三インチまでの幅を有していてもよい。
【００４０】
バット１００の総重量は、好ましくは少なくとも３５オンスであり、より好ましくは少なくとも４０オンスである。重量配分が上に説明されたものである限り、バット１００は、重量が１００オンス以上であってもよい。
【００４１】
代表的バット１００は、続くプロセスによって製造されることができる。（ａ）  バットバレル１１８が、任意の数の既知の生産プロセスによって製造される。（ｂ）  加重ロッド１１２が中空ハンドル１０８の中にエポキシコーティングと共に挿入され、所定位置に圧入される。（ｃ）  加重ノブ１１０がハンドル１０８の中に圧入される。（ｄ）  一つ以上の穴が、ハンドル１０８とノブ１１０、またハンドル１０８と加重ロッド１１２を貫通してあけられる。（ｅ）  ボルトまたはピンが穴を通して圧入され固定される。（ｆ）  バレルエンドキャップ１０４がバレル１０２の中に圧入される。（ｇ）  グリップがハンドル１０８上に取り付けられる。
【００４２】
あるいは、（ａ）加重ノブ１１０がまず、ハンドル１０８の中に圧入され、続いて、（ｂ）中空ハンドル１０８の中にエポキシ樹脂の供給し、続いて、（ｃ）加重ロッドをバレルの中に挿入し、さらにハンドルの中に、加重ロッドがそれを包み込み所定位置に固定するエポキシ樹脂の中に圧入されるように下げ、続いて、（ｄ）穴あけしてボルトまたはピンを取り付け、キャップ１０４とグリップの取り付け。
【００４３】
代表的実施形態では、発泡性フォームが、ロッドを取り囲み、バットをより頑丈にするために、バットに追加されてもよい。重量とノブが取り付けられた後に、フォームがバットのバレル端（またはバー、クラブ、その他の非加重端）から追加される。フォームは強固になり、重量を包み込み、バットの中のあらゆる残りの隙間／空間を満たす。
【００４４】
図３は、参照文字２００とラベル付けされた、バットの別の実施形態を示している。図１および２に示されたバット１００のものと同様であるバット２００の特徴は、同じ参照文字が与えられている。
【００４５】
図３に見られるように、バット２００は、バット本体が金属の単一部品でない点においてバット１００と異なっている。代わりに、バット本体は、木で作られ、一端にテーパー形状を有しているバットバレル２０２を有している。バット本体はまた、テーパースリーブ２０６の中に延在しているハンドル２０４を有している。バットバレル２０２のテーパー部分は、テーパースリーブ２０６内にはまっている。一つ以上のねじ２０８が、バレル２０２をバット２００の残りに固定するために、テーパースリーブ２０６を通ってバットバレル２０２の中に突き通されている。エポキシ樹脂または他の接着剤が、バットバレル２０２をテーパースリーブ２０６内に、またねじ２０８をバット２００の中に固定するために使用されてもよい。好ましくは、ねじ２０８はバット２００の中に、テーパースリーブ２０６の表面に垂直な方向に延びている。
【００４６】
バットハンドル２０４とテーパースリーブ２０６は、金属たとえばアルミニウムまたは複合材料の単一部品で作られることができる。バットバレル２０２は、従来の木製バットに使用される木、たとえばカエデ、トネリコ、または他の慣習的に使用される木材で作られることができる。バット２００は、従来の木製バットでボールを打ったときと同じ感覚を使用者がもつことを可能にするので、木製バットバレル２０２は、メジャーリーブベースボール（登録商標）選手および木製のバットを使用するリーグの他の選手にとって好ましい。
【００４７】
バット２００は、上に論じられたバット１００と同じ重量配分を本質的に保持している。明確には、バットは、総重量の少なくとも半分を、ハンドルとノブを有しているバットの半分に有している。より好ましくは、バットの重量の少なくとも５５パーセントが、ハンドルとノブを有しているバットの半分にある。さらにより好ましくは、バットの重量の少なくとも５７パーセントが、ハンドルとノブを有しているバットの半分にある。
【００４８】
十分に大きいロッドが必要とされる場合、ロッドがバレル２０２の中に延在し得るように、バレル２０２は、ハンドル２０４に接続された端に穴があけられてもよい。
【００４９】
バット２００の代替実施形態では、バレル２０２がテーパースリーブ２０６にねじ止めされるように、バレル２０２がねじを有し、テーパースリーブ２０６が溝を有していてもよい。そのような実施形態は、エポキシ樹脂および／またはねじ２０８を有していてもよく、または、ねじまたはエポキシ樹脂なしで取り付けられてもよい。
【００５０】
図４および４ａは、上に説明されたバット１００，２００の代替実施形態を示している。参照文字３００は、第一のハンドル３０２と第一のノブ３０４を第一の端に、第二のハンドル３０６と第二のノブ３０８を第二の端に有している中空バー３１６描いている。中央部分３１０は、第一のハンドル３０２を第二のハンドル３０６に接続している。ハンドル３０２，３０６とノブ３０４，３０８の長さと幅は、同一またはほとんど同一であってよい。しかしながら、一方のノブ、たとえば第一のノブ３０４は、上に説明された加重ノブ１１０のような加重ノブであってよい。他方のノブ、この例では第二のノブ３０８は、バー３００の第二の端における重量を軽く維持するために中空非加重ノブである。たとえば、第二のノブ３０８は、加重第一のノブ３０４よりも著しく軽く、たとえば７オンスの重量であってよい。重量を抑えるため、第二のノブ３０８は、アルミニウム、プラスチック、ファイバーグラス、または他の軽量物で作られていてよい。
【００５１】
バー３００の全長は、３０．０から４０．０インチまでの範囲にあってよい。バー３００の総重量は、３０．０から１１０．０オンスまでの範囲にあってよい。
【００５２】
加えて、単に加重第一のノブ３０４だけを備えたバーよりも重いバーを作るために、上に説明された加重ロッド１１２と同様な加重ロッド３２２が第一のハンドル３０２に挿入されていてもよい。加重ロッド３２２とノブ３０４と第一のハンドル３０２は、バット１００用に上に論じられたように接続されていてよい。ロッド３２２の大きさに応じて、それは、完全に第一のハンドル３０２の中に配置されていても、または中央部分３１０の中に延びていてもよい。たとえば、ロッド３２２の長さは、２．０から２２．０インチまでの範囲にあってよい。バット１００，２００でのように、加重第一のノブ３０４と加重ロッド３２２は、たとえばピン３１８，３２０とエキポシ樹脂、または溶接によって、バー３００に永久的に取り付けられている。第二のハンドル３０６は、重量を軽く維持するために、加重ロッドまたはどんな追加重量もバーの第二の端に有していない。
【００５３】
したがって、バー３００は重い側（第一のハンドル３０２と第一のノブ３０４を備えた側）と軽い側（第二のハンドル３０６と第二のノブ３０８を備えた側）を有している。したがって、バーは、上に説明されたバット１００，２００のようにスイングされ、同様の利点を提供することができる。
【００５４】
加重バー３００について、発明者は、重量の少なくとも６０パーセントを、加重ノブを有しているバーの半分に有していることが好ましいことを発見した。これは、バーが長さで半分に分割された（すなわち、四十インチバーに関してバーが二十インチに分割された）場合に、バーの総重量の少なくとも半分が、加重ノブを有しているバーの半分にあることを意味する。より好ましくは、バーの重量の少なくとも６４パーセントが、加重ノブを有しているバーの半分にある。
【００５５】
発明者は、上に説明されたバー３００のいくつかのサンプルを作った。次の表は、これらのサンプルの明細を提供する。
【表２】
2014510578.tif 000004
【００５６】
上記のチャートでは、「重い側の重量」は、加重ハンドルおよびノブを有しているバーの半分の重量を述べている。「軽い側の重量」は、加重ハンドルノブを有していないバーの他方の半分の重量を述べている。
【００５７】
第一のハンドル３０２と第二のハンドル３０６と中央部分３１０は、一定の直径の円形断面を有しているとして示されている。この直径は、野球またはソフトボールのバットを握る感覚を使用者に与えるために八分の七インチであってよい。使用者の要望に応じて、二分の一インチから二分の三インチまでの他の直径を有しているバーも考えられる。加えて、グリップを備えた野球またはソフトボールのバットの感触を使用者に与えるためにハンドルにグリップが追加されてもよい。バー３００は、ノブ３０４，３０８の間は一定の直径を有してよい。あるいは、中央部分３１０は、バーに追加重量に提供するために、ハンドルよりも幅広い直径に外向きにテーパーがついていてもよい。
【００５８】
上に論じられたように、使用者は、加重バー３００を、ちょうど加重バット１００，２００の一つのようにスイングしうる。使用者が第一のハンドル３０２を保持した場合、重量は一般に、使用者の手の中および下方に位置する。したがって、加重バー３００をスイングすることは、加重バット１００，２００と共に上に特筆されたのと同じ利点を提供する。
【００５９】
加重第一のハンドル３０２およびノブ３０４を使用者の身体から遠方に置くので、使用者はおそらく、第二のハンドル３０６を保持してスイングすることなないであろう。追加重量が使用者の手から遠方にあるこの形態で加重バー３００をスイングすることは、キャスティングを引き起こし、それによって、標準的スイングの好ましい経路の外側に使用者のスイングを連れて行く。加重バー３００がこのように使用されることは、ストレッチングおよび非スイングエクササイズのためだけに勧められる。
【００６０】
使用者が第一のハンドル３０２と第二のハンドル３０６を容易に区別し、加重バー３００をどのように使用するかをより良く理解するために、異なるグリップが異なるハンドルに設けられる。第一のグリップ３１２は、標準的な野球またはソフトボールグリップと同様の長さを有しており、従来の野球またはソフトボールバットでなされるように、使用者が第一のグリップ３１２上を両手で第一のハンドルを保持し得るように、第一のハンドル３０２上に設けられる。たとえば、第一のグリップ３１２は、７．０ないし１１．０インチの長さを有していてよい。
【００６１】
第二のグリップ３１４は、第一のグリップ３１２よりも短めであり、第二のハンドル３０６上に設けられる。第二のグリップ３１４は、使用者が、従来の野球またはソフトボールバットでなされるように第二のハンドルを保持し第二のグリップ３１４上に両手を置くことはできないほどに短い。たとえば、第二のグリップ３１４は、４．０ないし５．０インチの長さを有していてよい。これは、使用者が第二のハンドル３０６を握ってストレッチおよび他の非スイングエクササイズをおこなうことを可能にする。各グリップ３１２，３１４は、ゴム、皮革、または他の適切な材料で作られ得る。
【００６２】
代替実施形態では、バー３００の各ハンドル上のグリップは同じ長さである。第一のハンドル３０２上のグリップは完全に一色、たとえば黒である。第二のハンドル３０６上のグリップは、二色に分けられており、第二のノブ３０８に近い方の第二のハンドル３０６上のグリップの半分は、第一のハンドル上のグリップと同じ色である。たとえば、グリップは、半分が黒で、半分が透明であってよい。したがって、色配列は、第一のハンドル３０２を保持しながらバー３００をスイングするようになっていることを使用者が理解するのを助ける。もちろん、他の色配列が使用されてもよい。
【００６３】
両端にハンドルとノブを有しているため、加重バー３００は、練習やゲームのあいだにボールを打つようにはおそらく使用されないであろう。代わりに、スイングすることに加えて、加重バー３００は、ストレッチングおよび他のエクササイズに使用されてもよい。たとえば、使用者は、加重バー３００の一方または両方のハンドルを保持しながら、まず一連のウォームアップストレッチ、続いてコンディショニングエクササイズおこなうために、加重バー３００を使用してよい。加重バー３００は、エクササイズのあいだ使用者に有利である。なぜなら、バーが保持されている所をただ変えるだけで、バーを持ち上げるまたはスイングするのに必要な努力の量を使用者が変化させることができるからである。
【００６４】
たとえば、使用者は、バーの軽い端を保持してバー３００の一連の持ち上げをおこなってよい。軽い端を保持することによって、使用者が保持している所の反対側の端にバーの重量が集中されるので、バー３００は最も重く感じられる。いったん使用者が疲れきったならば、彼または彼女は、バーの中間またはより重い端の近くでバーを握ることができ、それによって、バーを軽く感じさせ、異なる一片の用品に変える必要なく、追加の反復運動を使用者がおこなうことを可能にする。
【００６５】
エクササイズが完了した後、使用者は、加重バー３００の第一のハンドル３０２のグリップ３１２を保持し、すべて適切なスイングメカニクスを確保しながら、パワーとスピードを鍛えるために一連のスイングをおこなうことができる。
【００６６】
別の代表的実施形態が図５および６に示されている。図５および６中の参照文字４００は加重ゴルフクラブである。ゴルフクラブ４００は、シャフト４０４の一端に取り付けられたクラブヘッド４０２を有している。クラブヘッド４０２とシャフト４０４は、従来のゴルフクラブに使用される従来のヘッドとシャフトであってよい。明確には、クラブヘッド４０２とシャフト４０４は、従来のゴルフクラブに使用されているものと同様の寸法と重量を有していてよい。クラブヘッド４０２とシャフト４０４はまた、従来のゴルフクラブを作るために使用されているものと、同じまたは同様の材料で作られてよく、同じまたは同様のプロセスによって作られ組み立てられてよい。クラブヘッド４０２とシャフト４０４は、従来のドライバー、ウッド、救助クラブ、ウェッジ、アイアン、そのほかに似た形状を有していてよい。上に説明されたバットに似て、クラブヘッド４０２とシャフト４０４の寸法と材料と重量は、使用者が参加するリーグのプレーを管理する団体によって出された公式ルールによって決定されてよい。たとえば、クラブヘッド４０２とシャフト４０４は、全米ゴルフ協会（ＵＳＧＡ）またはプロゴルフ協会（ＰＧＡ）の規則にしたがってよい。
【００６７】
従来のゴルフクラブとは異なり、クラブヘッド４０２と反対側のシャフト４０４の端に加重ハンドル４０６が取り付けられている。加重ハンドル４０６は、使用者がゴルフクラブ４００のシャフト４０４を保持するであろう所の下方に加重ハンドル４０６が重量を提供する（すなわち、使用者がゴルフクラブ４００を保持したとき、加重ハンドル４０６は使用者の方へ延びている）という点において、バット１００に取り付けられた加重ノブ１１０に似ている。加重ハンドル４０６は、シャフト４０４と同じ直径を有していてもよく、または加重ハンドル４０６が取り付けられている所の上方でシャフト４０４を握っていることを使用者が気づくように、シャフト４０４よりも大きい直径を有していてもよい。加重ハンドル４０６は、４．０から８．０オンスまでの範囲にあり、長さが２．０から４．０インチまで、直径が０．５０から１．５インチまでの範囲にあってよい。これは、従来のゴルフクラブの総重量を一般に、１３．０ないし１５．０オンス、２５ないし５０パーセント増大させ、より重要なことに、重量のほんお２０．０ないし３０．０パーセントが従来のゴルフクラブのハンドル端であるに対して、総クラブ重量の好ましくは少なくとも４０．０パーセント、より好ましくは少なくとも５０．０パーセントがハンドル端にあるように全重量配分を操作する。
【００６８】
図６に示されるように、加重ロッド４１０はまた、使用者がシャフト４０４を保持する所に追加重量を提供するためにシャフト４０４内に配置されていてよい。加重ロッド４１０は、４．０から１０．０オンスまでの範囲にあり、長さが５．０から１４．０インチまで、直径が０．３７５ないし１．００インチまでの範囲にあってよい。加重ハンドル４０６と共に、これは、従来のゴルフクラブの総重量を一般に、１３．０ないし１５．０オンス、５０ないし１４０パーセント増大させ、より重要なことに、重量のほんお２０．０ないし３０．０パーセントが従来のゴルフクラブのハンドル端であるに対して、総クラブ重量の好ましくは５０．０ないし７０．０パーセントがハンドル端にあるように全重量配分を操作する。
【００６９】
ピン４１２またはボルトが、ハンドル４０６をシャフト４０４に固定するために加重ハンドル４０６とシャフト４０４の中に穴を通って挿入されてよい。加えて、エポキシ樹脂は適所にピンを保持するために使用することができる。同様に、ピン４１４またはボルトが、ロッド４１０をシャフト４０４に固定するために加重ロッド４１０とシャフト４０４の中に穴を通って挿入されてよい。加えて、エポキシ樹脂が、ピン４１４またはボルトを適所に保持するために使用されてよい。したがって、加重ハンドル４０６と加重ロッド４１０は両方とも、ゴルフクラブ４００に永久的に固定されている。
【００７０】
ゴルフクラブ４００はまた、シャフト４０４の端を覆っているグリップ４０８を有していてよい。グリップは、加重ハンドル４０６がシャフトの端に取り付けられることを可能にするために端が切り落とされた従来のグリップであってよい。あるいは、グリップ４０８はまた、ハンドル４０６が取り付けられた所にわずかに長く幅広い部分を備えた従来のゴルフクラブに似た外観を有しているように、ハンドル４０６を覆うような大きさに作られてもよい。
【００７１】
加重ハンドル４０６と加重ロッド４１０によって追加された追加重量は、ゴルフクラブ４００をスイングすることによって、使用者が強靱さとスピードを鍛えることを可能にする。加えて、追加重量の位置は使用者が、彼らの自然なスイングが彼らの手の内側に維持され、ヘッドまたはシャフト全体にわたって追加重量を配置することによって引き起こされるキャスティング影響を避けて、ゴルフクラブ４００をスイングすることを可能にする。したがって、ゴルフクラブ４００中の追加重量は、適切な「ハンズビバインドボール」スイングを学習しようとしている使用者に有害ではない。
【００７２】
図７および７ａは、加重バー５００の別の代表的実施形態を示している。加重バー５００は、バー５００の全長がまた３０．０から４０．０インチ、重量が３０．０ないし１１０．０オンスである点において、上に説明された加重バー３００に似ている。しかしながら、バー５００の、各端部分、軽いおよび重いは、ゴルフクラブ４００の端部分のように形づくられている。したがって、加重バー５００の端部分は、バット形状ハンドルを備えたバー３００のそれらよりも長くて細い。
【００７３】
加重バー５００は、加重端５０４と非加重端５０６を備えた中空シャフト５０２を有している。ゴルフクラブ４００に似て、加重端５０４は、加重端５０４から延びている加重ハンドル５０８と、加重端５０４内の加重ロッド５１０と、グリップ５１２を有している。加重ハンドルは、好ましくは重量が１２．０から２５．０オンス、より好ましくは２５．０オンスであってよい。加重ハンドルは、長さが２．０から８．０インチまで、直径が０．７５０から２．０までの範囲にあってよく、好ましい代表的実施形態では、長さが５．０インチ、直径が１．５インチである。加重ロッドは好ましくは、長さが２．０から１６．０インチ、４．０ないし６０．０オンスであってよい。
【００７４】
加重バー５００について、発明者は、重量の少なくとも６０パーセントを、加重ノブを有しているバーの半分に有していることが好ましいことを発見した。これは、バーが長さで半分に分割された（すなわち、四十インチバーに関してバーが二十インチに分割された）場合に、バーの総重量の少なくとも半分が、加重ハンドルおよび／またはロッドを有しているバーの半分にあることを意味する。より好ましくは、バー５００の重量の少なくとも７０パーセントが、加重ハンドルを有しているバーの半分にあり、さらにより好ましくは、重量の少なくとも７２パーセントが、バーの加重半分にある。
【００７５】
発明者は、上に説明されたバー５００のいくつかのサンプルを作った。次の表は、これらのサンプルの明細を提供する。
【表３】
2014510578.tif 000005
【００７６】
加重バー５００が寸法において対称的であるように、非加重ハンドル５１６が非加重端５０６に取り付けられていてよい。しかしながら、非加重ハンドル５１６は好ましくは中空であるか、バーの非加重端５０６の重量を軽く保つためにアルミニウムやプラスチック、ファイバーグラスなどの軽い材料で作られている。
【００７７】
グリップ５１２は、シャフト５０２の加重端５０４だけを覆っていてもよく、また、グリップ５１２は、加重端５０４と加重ロッド５１０の両方を覆っていてもよい。加重ハンドル５０８と加重ロッド５１０は、エポキシ樹脂で適所に保持されてよいピン５１４と５１８を使用して加重端５０４に取り付けられていてよい。したがって、加重ハンドル５０８と加重ロッド５１０は両方とも、加重バー５００に永久的に固定されている。
【００７８】
シャフト５０２は、鋼製またはアルミニウムまたは他の適切な金属または合金で作られていてよい。あるいは、シャフト５０２は、プラスチックまたは他の適切な合成物または材料で作られていてもよい。加重ハンドル５０８と加重ロッド５１０は、鉛または他の適切な材料で作られていてよい。
【００７９】
グリップ５１２は少なくとも従来のゴルフグリップと同じくらい長い。たとえば、グリップは、バー５００の端から約７．０ないし１１．０インチ延びていてよい。したがって、使用者は、加重バー５００を従来のゴルフスイング動作でスイングするために、まるで従来のゴルフクラブのように加重バー５００の加重端５０４を保持することができる。加重ハンドル５０８と加重ロッド５１０によって追加された重量の位置は使用者が、彼らの自然なスイングプレーンで、従来の加重クラブおよびトレーニング器具によって引き起こされるキャスティング影響を避けて、加重バー５００をスイングすることを可能にする。
【００８０】
非加重端５０６もグリップ５１４で覆われている。加重バー３００の軽い方のハンドル上の第二のグリップ３１４に似て、グリップ５１４は、使用者が彼または彼女の手の両方をグリップ５１４に合わせないように、グリップ５１２よりも小さくてよい。たとえば、グリップ５１４は、グリップ５１１の半分の長さであってよい。したがって、小さい方のグリップ５１４は、バー５００がグリップ５１４を保持しながらゴルフクラブのようにスイングされるべきでないことを使用者に示唆するであろう。あるいは、グリップ５１４は、バー５００がグリップ５１４を保持しながらゴルフクラブのようにスイングされるべきでないことを使用者に示唆するために、異なる色で作られていてもよい。
【００８１】
グリップ５１２，５１４のおのおのは、ゴルフクラブを握るのに適している皮革、ゴム、または他の材料で作られていてよい。第一のグリップ５１２を有している加重端５０４と第二のグリップ５１４を有している非加重端５０６はおのおの、従来のゴルフクラブのシャフトのグリップ被覆部分に似た断面を有している。たとえば、第一のグリップ５１２を有している加重端５０４は、八分の七インチの直径の円形断面を有していてよい。第二のグリップ５１４を有している非加重端５０６は、同じ形と直径を有していてよい。代替実施形態の直径は、二分の一インチから二分の三インチまでの範囲にあってよい。
【００８２】
シャフトは、たとえば、八分の七インチの一定の直径の円形断面を有していてよい。シャフトの代替実施形態の直径は、二分の一インチから二分の三インチまでの範囲にあってよい。さらに、二つのグリップ５１２，５１４の間のシャフトの中央部分は、グリップを備えた端とは異なる直径を有していてよい。ハンドル５０８，５１６も、一定の直径の円形断面を有していてよい。しかしながら、ハンドル５０８，５１６の直径は、使用者がバーを保持する端の直径よりも大きい。たとえば、ハンドルの直径は、八分の七インチから２．０インチまでであってよい。第一のグリップ５１２を有している加重端５０４と第二のグリップ５１４を有している非加重端５０６の両方の直径が八分の七インチであるバー５００の代表的実施形態では、ハンドル５０８，５１６は、１．５０インチの直径を有している。
【００８３】
本発明は、多数の追加実施形態を含んでいる。たとえば、ホッケー、フィールドホッケー、ラクロス、そのほかなどスポーツ用スティックは、加重ノブ、およびまたは、それに永久的に固定された加重ロッドを有している。スティックの加重ノブおよびロッドの代表的実施形態が図８に示されている。図８の加重スティック６００は、ハンドル部分６０６にピン６０８によって永久的に固定された加重ノブ６０２と加重ロッド６０４の両方を有している。この加重ハンドルおよびロッドは、図８ａに示されるもののような、いろいろなタイプのホッケースティック、または図８ｂに示されるラクロススティックに適用されてよい。
【００８４】
加えて、バドミントン、テニス、ラケットボール、スカッシュ、卓球、そのほかなど、ラケットスポーツのためのラケットは、従来のラケットに似ているが、使用者が、彼または彼女の自然なスイングでラケットをスイングしながら、強靱さとコンディショニングを鍛えることを可能にするために、グリップの下方に永久的に固定された加重ノブ、および／または、グリップ内に永久的に固定された加重ロッドを有している。ラケット中の加重ノブおよびロッドの代表的実施形態が図９に示されている。図９の加重ラケット７００は、加重グリップ部分７０４から延びているラケット管７０２を有している。加重スリーブ７０８が、グリップ部分７０４内にピン７１２によってラケット管７０２に取り付けられている。加重ノブ７０６と加重ロッド７１０は、ピン７１２によって加重スリーブ７０８に取り付けられている。この加重グリップ外形は、図９ａに示されるものなど、さまざまなタイプのラケットに適用されてよい。
【００８５】
代表的クリケット用バットが、金属ハンドルが加重ノブと必要に応じてその中に加重ロッドを有し、上に説明されたバット２００に似たバットの木製のブレードに金属ハンドルが取り付けられて、構成される。
【００８６】
それらの実施形態と同様に、より完全に上に記述した、これらの追加ラケット、スティック、バットのおのおのは、加重ノブ、ハンドル、および／またはロッドの反対側の端に追加重量を有していない。さらに、ラケット、スティック、またはバット内のいずれの加重ロッドも、ラケット、スティック、またはバットの全長に延びておらず、その代りに、使用者が保持するラケット、スティック、またはバットの端に集中されている。テニスグリップ部分を備えた加重ラケットの代表的実施形態が図９ｂに示されている。これらの追加実施形態に関して、特別の使用者のための調整された重量配分および全体製品重量を達成するために、重量の希望および必要量を加重ノブ、ハンドル、および／またはロッドによってハンドル端に追加することを通して、非加重商業製品について重量配分の最小１０％が器具の端（ラケット、バレル、ヘッド、そのほか）の方に、ハンドルの方に再分配されることが好ましい。
【００８７】
ホッケーなどの、使用者の両手がラケット、スティック、またはバット上で一緒にないスポーツについては、追加重量は、選手に近い方のスティックの端とその周辺だけにある（すなわち、スティックの下側、たとえば、スラップショットのために右利き選手の右手がスティックを握らない所に追加加重はない）。
【００８８】
上に説明されたバットとクラブに加えて、これらのラケット、スティック、バットは、それらの対応する従来のスポーツ用品のコンポーネントを有しているので、加重スポーツ用品は、生のプレーに使用されてよい。たとえば、ホッケー選手は、彼または彼女の自然なスラップショット運動に悪影響を与えることなく、強靱さとコンディションを鍛えるために加重ホッケースティックで彼または彼女のスラップショットを練習することができるであろう。
【００８９】
ここに説明された発明概念はさらに、クルー、ボート競技、カヤック、そのほかのための加重オールまたはパドルなどの他のアイテムに広げられてよい。陸上競技、体操または水泳のためなどの他のスポーツ用品も含まれる。ドラムスティックおよびリハビリテーション用品などの使用者の運動を必要とする非スポーツ用品も含まれる。
【００９０】
本発明はまた、上に説明されたラケットやスティックやバットからグリップ部分を有するようにに修正された、上に説明されたバー３００と５００などの、加重バーも含む。そのような加重バーは、第一の端に永久的に固定された加重ハンドル、ノブ、および／またはロッドを備えた第一の端上の一つのグリップ部分と、追加重量を備えていない第二の端上の同一のグリップ部分を有している（すなわち、テニスのための加重バーは、テニスラケットのグリップ部分のようにおのおの形づくられた二つの端を有している）。
【００９１】
加えて、シャフト間に延びているバーの部分は円形断面を有していてもよいし、断面は、グリップ部分が設計されているようなラケット、スティック、またはバットのシャフトと一致する別の形状を有していてもよい。テニスのためのバーの例では、テニスラケットのグリップ部分を備えたバーは、矩形断面がグリップ部分間に延びていてよい。
【００９２】
加重バーは、特別のスポーツと関して使用されるように上に示されたけれども、フィットネスおよび／またはリハビリテーションのために代替加重バーが開発されてもよい。そのようなバーは、従来のバーベルやリハビリテーション用品に似たグリップを有していてよい。加重バーは、一端には永久的に固定された追加重量を有しており、他端には追加重量を有していない。
【００９３】
明らかに、上記の教示に照らして本開示の多数の修正および変形が可能である。たとえば、ここに説明されたもの以外の材料が利用されてもよい。これは、これに限定されないが、ノブまたはロッド中に重量を設けるために液体またはベアリングを使用することや、爪の代わりにねじやねじの代わりにピンを使用することを含む。したがって、本発明は、添付の特許請求の範囲内において、ここに明確に説明されたものとは別の方法で実施され得ると理解されるべきである。
【図１】
2014510578.tif 000006
【図２】
2014510578.tif 000007
【図３】
2014510578.tif 000008
【図４】
2014510578.tif 000009
【図４ａ】
2014510578.tif 000010
【図５】
2014510578.tif 000011
【図６】
2014510578.tif 000012
【図７】
2014510578.tif 000013
【図７ａ】
2014510578.tif 000014
【図８】
2014510578.tif 000015
【図８ａ】
2014510578.tif 000016
【図８ｂ】
2014510578.tif 000017
【図９】
2014510578.tif 000018
【図９ａ】
2014510578.tif 000019
【図９ｂ】
2014510578.tif 000020
【国際調査報告】
2014510578.tif 000021